(57)【要約】【課題】弁の開閉操作を容易に行い得るバルブ装置を提供する。【解決手段】弁本体１の流路２に形成された弁座３に対して、回転が規制された状態で前後方向に移動する棒状の弁体４が接離し、弁体４の後端部から前方に形成された挿通孔４ａ内に嵌合スリーブ１１が固定される。弁体４の挿通孔４ａ内に弁棒５が挿通され、弁棒５の外周部に形成された左ねじの二条ねじである移動用おねじ部と、嵌合スリーブ１１に形成された左ねじの二条ねじである移動用めねじ部１１ｂとがねじ結合する。ヨーク７の後端部に固定された支持部材８に支持スリーブ１６が回転可能に支持される。支持スリーブ１６に形成された右ねじの一条ねじである締結用めねじ部１６ａと、弁棒５の後端部に形成された右ねじの一条ねじである締結用おねじ部５ｃとがねじ結合する。【選択図】図１
2017115970.tif 000002
【特許請求の範囲】
【請求項１】
流路を有する弁本体と、その流路に形成された弁座と、回転が規制された状態で前後方向に移動して前記弁座に接離する弁体と、前記弁本体に連結される弁棒と、前記弁棒に取り付けられる操作部材と、前記弁本体に固定されるヨークと、前記弁棒を支持する支持スリーブを有し、前記ヨークに固定される支持部材とを備え、
前記弁体は、後端部から前方に向かって形成された挿通穴と、その挿通穴に嵌め合わされた嵌合スリーブとを有し、前記嵌合スリーブは、内周部に移動用めねじ部を有し、前記支持スリーブは、内周部に締結用めねじ部を有し、前記弁棒は、外周部に形成され、前記弁体の挿通穴に挿通された状態で前記嵌合スリーブにねじ結合する移動用おねじ部と、内周部に形成され、前記支持スリーブにねじ結合する締結用おねじ部とを有し、前記操作部材により回転するものであり、前記移動用めねじ部及び前記移動用おねじ部は、前記締結用めねじ部及び前記締結用おねじ部に対して条数が多く、逆ねじ方向の多条ねじであるバルブ装置。
【請求項２】
前記支持スリーブが前記支持部材に対して回転可能に支持され、前記操作部材は、前記弁棒に対して前記支持スリーブを介して取り付けられた状態とした請求項１に記載されたバルブ装置。
【請求項３】
前記弁棒が前記移動用おねじ部と締結用おねじ部との間に径方向外向きに突出するストッパを有し、前記ストッパは前記支持部材に対して突き当たる状態で、前記弁棒の軸方向後方への移動を規制するようにした請求項２に記載されたバルブ装置。
【請求項４】
流路を有する弁本体と、その流路に形成された弁座と、回転が規制された状態で前後方向に移動して前記弁座に接離する弁体と、前記弁本体に連結される弁棒と、その弁棒に取り付けられる操作部材と、前記弁本体に固定されるヨークと、前記弁棒を支持する支持スリーブを有し、前記ヨークに固定される支持部材とを備え、
前記支持スリーブは、その内周部に嵌り合う嵌合スリーブを有しており、前記操作部材が前記嵌合スリーブを介して前記弁棒に取り付けられた状態となっており、前記弁棒は、外周部に移動用おねじ部を有し、前記支持スリーブは、内周部に締結用めねじ部を有し、前記嵌合スリーブは、内周部に形成され、前記移動用おねじ部にねじ結合する移動用めねじ部と、外周部に形成され、前記締結用めねじ部にねじ結合する締結用おねじ部とを有し、前記操作部材により回転するものであり、前記移動用めねじ部及び前記移動用おねじ部は、前記締結用めねじ部及び前記締結用おねじ部に対して条数が多く、逆ねじ方向の多条ねじであるバルブ装置。
【発明の詳細な説明】
【技術分野】
【０００１】
本発明は、ハンドルの回転操作、または、エア式、電動式による回転駆動で弁棒を移動させて、その弁棒に連結する弁体を弁本体の弁座に着離する方向に移動させるバルブ装置に関する。
【背景技術】
【０００２】
従来から、流体の移送配管の途中に設けられるバルブ装置としては、流体が流通する流路を有する弁本体と、その流路に形成された弁座と、弁座に接離する弁体と、前端部に弁体が連結され、後端部が弁本体から突出した弁棒と、その弁棒の後端部に固定されたハンドルと、弁本体に固定されたヨークと、ヨークの後端部に固定され、弁棒を支持するヨークブッシュとを備えるものが提案されている（例えば、特許文献１参照）。
【０００３】
特許文献１に記載のバルブ装置は、ハンドルを回転操作することにより、ヨークに固定されたヨークブッシュにねじ結合された弁棒が回転しながらその軸方向に移動し、流路に臨む弁座に弁体を接離させるものである。
【０００４】
また、バルブ装置としては、ヨークに固定されたヨークブッシュにねじ結合された弁棒をエアモータや電動モータを用いて回転駆動させ、弁体を弁座に接離させるエア式や電動式のものが知られている。
【先行技術文献】
【特許文献】
【０００５】
【特許文献１】特開２００１−３４９４４７号公報
【発明の概要】
【発明が解決しようとする課題】
【０００６】
特許文献１に記載されたバルブ装置、及び上述したエア式、電動式のバルブ装置は、流路内の流体の圧力により弁体に対して弁座から離れる方向（開弁方向）への力が作用することがある。このため、通常、閉弁状態を維持する目的で、弁棒とヨークブッシュのねじ結合は、締結力を確保することができる一条ねじのねじ結合となっている。
【０００７】
一条ねじはリードがピッチに等しいため、弁の開閉の際、弁体の移動距離が長い場合、特許文献１に記載されたバルブ装置は、ハンドルの回転数が多くなり、また、締結力（ねじ部での摩擦抵抗）に抗してハンドルを回転させる必要があるので、ハンドルの回転に手間と時間がかかるという問題があった。
【０００８】
また、エア式のバルブ装置では、弁棒の回転数が多くなると、弁棒を回転駆動するエアモータのエア消費量が多くなるという問題がある。電動式のバルブ装置では、電動モータの定格時間内に弁棒を回転駆動して弁体を軸方向に移動させる必要があり、弁棒の回転数が多くなると、出力の大きい電動モータを選択する必要があるという問題があった。
【０００９】
そこで、この発明の課題としては、弁の開閉操作を容易に行い得るバルブ装置を提供することである。
【課題を解決するための手段】
【００１０】
上記の課題を解決するために、この発明は、流路を有する弁本体と、その流路に形成された弁座と、回転が規制された状態で前後方向に移動して前記弁座に接離する弁体と、前記弁本体に連結される弁棒と、前記弁棒に取り付けられる操作部材と、前記弁本体に固定されるヨークと、前記弁棒を支持する支持スリーブを有し、前記ヨークに固定される支持部材とを備え、前記弁体は、後端部から前方に向かって形成された挿通穴と、その挿通穴に嵌め合わされた嵌合スリーブとを有し、前記嵌合スリーブは、内周部に移動用めねじ部を有し、前記支持スリーブは、内周部に締結用めねじ部を有し、前記弁棒は、外周部に形成され、前記弁体の挿通穴に挿通された状態で前記嵌合スリーブにねじ結合する移動用おねじ部と、内周部に形成され、前記支持スリーブにねじ結合する締結用おねじ部とを有し、前記操作部材により回転するものであり、前記移動用めねじ部及び前記移動用おねじ部は、前記締結用めねじ部及び前記締結用おねじ部に対して条数が多く、逆ねじ方向の多条ねじである構成を採用することができる。
【００１１】
この構成によると、弁棒の移動用おねじ部と嵌合スリーブの移動用めねじ部とは多条ねじのねじ結合である。このため、一条ねじのねじ結合の場合と比較して、一条ねじによるねじ結合よりも締結力が小さくなり、操作部材により回転する弁棒の一回転当たりの前後方向の移動距離（リード）が大きくなる。
【００１２】
また、閉弁状態において、流路内の流体の圧力により、弁体に対して弁座から離れる方向（開弁方向）への力が作用することがある。このとき、上述のように弁棒は支持スリーブに対してねじ結合により締結されているので、閉弁状態を維持することができる。
【００１３】
また、前記支持スリーブが前記支持部材に対して回転可能に支持され、前記操作部材は、前記弁棒に対して前記支持スリーブを介して取り付けられた状態とした構成を採用することができる。
【００１４】
この構成によると、操作部材が支持スリーブに取り付けられているので、操作部材により弁棒が回転して前後方向に移動しても、操作部材の位置は支持スリーブに対して前後方向に移動しない。
【００１５】
前記構成において、前記弁棒が前記移動用おねじ部と締結用おねじ部との間に径方向外向きに突出するストッパを有し、前記ストッパは前記支持部材に対して突き当たる状態で、前記弁棒の軸方向後方への移動を規制するようにした構成を採用することができる。
【００１６】
この構成によると、操作部材により弁棒を開弁方向に回転させた際、弁棒のストッパを支持部材に対して突き当て、弁棒の軸方向後方への必要以上の移動を規制することができる。
【００１７】
上記の課題を解決するために、この発明は、流路を有する弁本体と、その流路に形成された弁座と、回転が規制された状態で前後方向に移動して前記弁座に接離する弁体と、前記弁本体に連結される弁棒と、その弁棒に取り付けられる操作部材と、前記弁本体に固定されるヨークと、前記弁棒を支持する支持スリーブを有し、前記ヨークに固定される支持部材とを備え、前記支持スリーブは、その内周部に嵌り合う嵌合スリーブを有しており、前記操作部材が前記嵌合スリーブを介して前記弁棒に取り付けられた状態となっており、前記弁棒は、外周部に移動用おねじ部を有し、前記支持スリーブは、内周部に締結用めねじ部を有し、前記嵌合スリーブは、内周部に形成され、前記移動用おねじ部にねじ結合する移動用めねじ部と、外周部に形成され、前記締結用めねじ部にねじ結合する締結用おねじ部とを有し、前記操作部材により回転するものであり、前記移動用めねじ部及び前記移動用おねじ部は、前記締結用めねじ部及び前記締結用おねじ部に対して条数が多く、逆ねじ方向の多条ねじである構成を採用することができる。
【００１８】
この構成では、弁棒の移動用おねじ部と嵌合スリーブの移動用めねじ部との多条ねじのねじ結合である。このため、一条ねじのねじ結合の場合と比較して、一条ねじによるねじ結合よりも締結力が小さくなり、操作部材により回転する嵌合スリーブの一回転当たりの弁棒の前後方向の移動距離（リード）が大きくなる。
【発明の効果】
【００１９】
この発明は、弁棒の移動用おねじ部と嵌合スリーブの移動用めねじ部とは多条ねじのねじ結合であるため、一条ねじによるねじ結合よりも締結力が小さく、かつ操作部材により回転する弁棒、または嵌合スリーブの一回転当たりの弁棒の前後方向の移動距離が大きくなるので、弁の開閉操作を容易に行うことができる。
【図面の簡単な説明】
【００２０】
【図１】この発明に係る第一実施形態のバルブ装置の断面正面図
【図２】同上の開弁状態の要部を示す断面正面図
【図３】同上の閉弁状態の要部を示す断面正面図
【図４】第一実施形態のバルブ装置の変形例の要部を示す断面正面図
【図５】この発明に係る第二実施形態のバルブ装置の要部を示す断面正面図
【図６】同上の閉弁状態を示す要部の断面正面図
【図７】この発明に係る第三実施形態のバルブ装置の断面正面図
【図８】同上の開弁状態を示す要部の断面正面図
【発明を実施するための形態】
【００２１】
以下、この発明の第一実施形態に係るバルブ装置を図１〜図３に基づいて説明する。
この実施形態に係るバルブ装置は、樹脂ポリマなどの高粘度の流体、塊を含む粉状、液状流体を移送する配管途中に設けられるものである。
【００２２】
バルブ装置は、図１、２に示すように、流体が流通する流路２を有する弁本体１と、弁本体１の流路２に形成された弁座３と、弁座３に対して前後方向に移動して接離する弁体４と、弁体４に連結され、後端部が弁本体１から突出した弁棒５と、弁棒５の後端部に取り付けられる操作部材としてのハンドル６と、弁本体１の後端部側に固定されたヨーク７と、弁棒５を支持する支持スリーブ１６を有し、ヨーク７の後端部に固定される支持部材８とを備える。
【００２３】
ここで、前後方向（前後）とは、弁体４が弁座３に向かって移動する向きを前方とし、弁座３から離れて移動する向きを後方としたときの前後方向（前後）を意味する。
【００２４】
弁本体１は、図１に示すように、筒状に形成され、その前端部に同軸状に接続されるシート筒１ａと、長さ方向途中位置において分岐する分岐部１ｂとを有する。弁本体１は、シート筒１ａの内部を経て分岐部１ｂ内に至る入口側流路２ａと、入口側流路２ａに連通し、分岐部１ｂ内に形成された出口側流路２ｂとからなる流路２を有している。
【００２５】
また、弁本体１は、入口側流路２ａの中心線と弁体４の中心軸とが一直線上にあって、弁体４の中心軸と出口側流路２ｂの中心線とが鋭角となっており、後端部の外周部に径方向外向きのフランジ１ｃが形成されている。
【００２６】
シート筒１ａは、内面が円筒面であって、前端部の内部に弁座３が形成され、弁本体１の前端部に対してガスケットを介して接続されている。シート筒１ａの内面と弁本体１の前端部の内面とは、連続する同径の円筒面を形成する。弁本体１の内部には、弁座３に対して接離する円柱状の弁体４が前後方向に摺動可能に配置されている。
【００２７】
また、弁本体１は、その内部において出口側流路２ｂよりも後方側に大径部１ｄが形成される。大径部１ｄ内に弁体４を案内するガイド筒９が嵌め合わされている。ガイド筒９内を弁体４が前後方向に摺動する。
【００２８】
ガイド筒９の内周部と外周部とにはそれぞれパッキン９ａ、９ｂが嵌められており、内周部側のパッキン９ａが弁体４に接触し、外周側のパッキン９ｂが弁本体１の大径部１ｄに接触して液密性を確保している。
【００２９】
ガイド筒９は、弁本体１の後方側端部において、環状体９ｃを介して、押さえ輪１０により、前方に押し付けられている。押さえ輪１０は、弁本体１のフランジ１ｃに対して既存の締結具により固定されている。
【００３０】
弁体４は、棒状をなし、後端面の中央に前方に向かって形成された挿通穴４ａと、前端部の形成されたシート４ｂとを有する。挿通穴４ａは、弁棒５が挿通可能な内径を有し、後端部の内周部に嵌合スリーブ１１がねじ結合により固定されている。
【００３１】
弁体４の後端部側の外周部にロックリング１２がボルト１３により固定されている。ボルト１３は、ロックリング１２の周方向一箇所に径方向にねじ結合され、ヨーク７に形成された長孔７ｃから径方向外向きへ突き出した状態となっている。
【００３２】
ボルト１３は、先端部が弁体４の外周部を押し付けることにより、ロックリング１２を弁体４に対して回転不能に固定している。弁体４に回転力が作用した場合、ボルト１３がヨーク７の長孔７ｃの周縁部に係止し、弁体４は回転が規制された状態となる。
【００３３】
嵌合スリーブ１１は、円筒状をなし、後端部に径方向外向きのフランジ１１ａを有し、フランジ１１ａが弁体４の後端部に接触する状態に挿通穴４ａ内にねじ結合される。また、嵌合スリーブ１１は、内周部に左ねじの二条ねじとなる移動用めねじ部１１ｂが形成される。
【００３４】
弁棒５は、断面円形の軸体であって、長さ方向の後端部寄りに径方向外向きに突き出すストッパ５ａを有する。弁棒５は、ストッパ５ａよりも前方の外周部に、嵌合スリーブ１１の移動用めねじ部１１ｂにねじ結合する左ねじの二条ねじとなる移動用おねじ部５ｂが形成される。また、弁棒５は、ストッパ５ａよりも後方の外周部に右ねじの一条ねじとなる締結用おねじ部５ｃが形成されている。
【００３５】
ヨーク７は、円筒状をなし、その前端部に形成された径方向外向きのフランジ７ａと、前端縁の周方向二箇所に形成される切り欠き窓７ｂ、７ｂと、一方の切り欠き窓７ｂの後端縁から連続して後方へ延びる長孔７ｃとを有する。
【００３６】
ヨーク７は、フランジ７ａと弁本体１のフランジ１ｃとを突き当てた状態で既存の締結具により、弁本体１のフランジ１ｃに対して後端側に固定される。
【００３７】
支持部材８は、ヨーク７の後端部の内周部に嵌合固定される筒状の基部１４と、基部１４の内周部に取り付けられる軸受１５と、軸受１５により回転可能に支持される支持スリーブ１６とを備える。
【００３８】
基部１４は、前端部が閉塞し、後端部が開口する筒状であって、閉塞する前端部の中央に貫通孔１４ａが形成されている。貫通孔１４ａは、弁棒５の外径よりも大きく、弁棒５のストッパ５ａの外径よりも小さい内径を有する。
【００３９】
軸受１５は、基部１４の内周部の前後方向二箇所に配置されている。支持スリーブ１６は、基部１４に挿通され、外周部に嵌められた軸受１５、１５により回転可能に支持されている。
【００４０】
また、支持スリーブ１６は、基部１４の開口する後端部を閉塞する環状のカバー１７を貫通し、基部１４から後端部が突出した状態となり、その突出部分にボス部１８を介してハンドル６が固定される。支持スリーブ１６の外径は、基部１４の貫通孔１４ａの内径よりも大きく形成されている。
【００４１】
支持スリーブ１６の内周部には、弁棒５の締結用おねじ部５ｃとねじ結合する右ねじの一条ねじとなる締結用めねじ部１６ａが形成され、弁棒５の締結用おねじ部５ｃがねじ結合した状態となっている。支持スリーブ１６は、弁棒５の後端部に締め付けられたナット１９により、位置決めされている。
【００４２】
なお、嵌合スリーブ１１の移動用めねじ部１１ｂ及び弁棒５の移動用おねじ部５ｂは、左ねじの二条ねじであるが、三条ねじ、四条ねじであってもよい。要は、支持スリーブ１６の締結用めねじ部１６ａ及び弁棒５の締結用おねじ部に対して、条数が多く、逆ねじ方向の多条ねじであればよい。
【００４３】
また、この実施形態では、操作部材としてハンドル６を採用したものであって、手でハンドル６を回転させる手動式であるが、エアーモータまたは電動モータによりハンドルを回転させるエアー式、電動式を採用することができる。
【００４４】
例えば、エアー式の場合、図４に示すように、操作部材としての支持スリーブ１６のボス部１８に固定したギア１８ａと、ギア１８ａに噛み合うピニオン１８ｂと、ピニオン１８ｂを回転させるエアモータ２０とを備える。
【００４５】
エアー式の場合、ハンドル６は、支持スリーブ１６を後方に延長して、その後端部に取り付け、手動でハンドル６を回転可能とする。また、ハンドル６を支持スリーブ１６に取り付けずに上記操作部材のみを取り付け、エアモータ２０により支持スリーブ１６を回転させてもよい。
【００４６】
このエアー式の場合、上述したエアー式のものと比較して、支持スリーブ１６の一回転当たりの弁棒５の前後方向の移動距離が大きくなる。すなわち、弁棒５の移動距離が同じであれば、支持スリーブ１６の回転数が小さくなり、支持スリーブ１６を回転駆動するエアモータのエア消費量を抑制することができる。
【００４７】
また、操作部材を構成するエアモータ２０の代わりに電動モータを備えたものとした電動式としてもよい。この電動式の場合、上述した電動式のものと比較して、支持スリーブ１６の一回転当たりの弁棒５の前後方向の移動距離が大きくなる。このため、弁体４の移動速度が速くなることから、弁の開閉時間が短縮され、出力の大きい電動モータを選択する必要がない。
【００４８】
この実施形態のバルブ装置は、上記のように構成され、ハンドル６に正対した状態で、ハンドル６を開弁方向（左回り）に回転させると、軸受１５により回転可能に支持される支持スリーブ１６が回転する。
【００４９】
支持スリーブ１６は、その締結用めねじ部と弁棒５の締結用おねじ部５ｃとのねじ結合により締結している。このため、支持スリーブ１６に対して弁棒５が左回りに一体回転する。
【００５０】
ここで、弁体４は、ボルト１３がヨーク７の長孔７ｃの周縁部に係止し、その回転が規制された状態となっている。回転が規制された状態の弁体４に対して、弁棒５が左回りに回転すると、その移動用おねじ部５ｂと嵌合スリーブ１１の移動用めねじ部１１ｂとの左ねじのねじ結合により、弁体４が弁棒５に対して後方に移動する。
【００５１】
続いて、ハンドル６を左回りに回転させて、支持スリーブ１６を介して弁棒５を回転させると、弁体４が弁本体１の分岐部１ｂよりも後方に移動し、開弁状態となる（図２参照）。
【００５２】
この開弁状態では、弁棒５のストッパ５ａが弁体４の嵌合スリーブ１１が突き当たり、弁体４の後方への移動が規制される。さらに、ハンドル６と左回りに回転させると、弁棒５の締結用おねじ部５ｃと、支持スリーブ１６の締結用めねじ部１６ａとの右ねじのねじ結合により、弁棒５と支持スリーブ１６が締結される。
【００５３】
上記開弁状態において、ハンドル６を閉弁方向（右回り）に回転させると、左回りに回転させた場合と同様に、支持スリーブ１６に対してねじ結合する弁棒５が右回りに一体回転する。
【００５４】
回転が規制された弁体４に対して、弁棒５が右回りに回転すると、その移動用おねじ部５ｂと嵌合スリーブ１１の移動用めねじ部１１ｂとの左ねじのねじ結合により、弁体４が弁棒５に対して前方に移動する。
【００５５】
続いて、ハンドル６を右回りに回転させて、支持スリーブ１６を介して弁棒５を回転させると、弁体４が弁座３に接触して閉弁状態となる（図１参照）。この閉弁状態において、さらに、ハンドル６を右回りに回転させると、弁棒５が後方に移動して、ストッパ５ａが支持部材８の前端面に突き当たる（図３参照）。
【００５６】
ストッパ５ａが突き当たる状態で、ハンドル６を右回りに回転させると、弁棒５の締結用おねじ部５ｃと、支持スリーブ１６の締結用めねじ部１６ａとの右ねじのねじ結合により、弁棒５と支持スリーブ１６が締結される。
【００５７】
このように弁操作されるバルブ装置は、弁棒５の移動用おねじ部５ｂと嵌合スリーブ１１の移動用めねじ部１１ｂとは、二条ねじのねじ結合であるので、一条ねじによるねじ結合よりも締結力が小さくなり、かつリードが大きくなる。
【００５８】
このため、ハンドル６を軽い力で回転させることができ、ハンドル６の一回転当たりの弁体４の前後方向の移動距離が大きくなることから、弁の開閉操作を容易に行うことができる。
【００５９】
また、ハンドル６が支持スリーブ１６に取り付けられているので、ハンドル６の回転により弁棒５が前後方向に移動しても、ハンドル６の位置は支持スリーブ１６に対して前後方向に移動しない。
【００６０】
次に、この発明に係る第二実施形態のバルブ装置を図５、６に基づいて説明する。この実施形態は、支持部材８において、支持スリーブ１６が基部１４に対して回転不能に取り付けられている点、弁棒５の後端部に操作部材としてのハンドル６が取り付けられている点、及び弁棒５がストッパ５ａを有していない点で、上述した第一実施形態の構造体と相違する。その他の構造は、第一実施形態と同じと考えられ、同じ符号を付してその説明を省略する。
【００６１】
この実施形態のバルブ装置は、支持スリーブ１６が支持部材８の基部１４の後端部側の内周部に固定され、弁棒５の後端部が基部１４の貫通孔１４ａに貫通している。弁棒５の締結用おねじ部５ｃが、支持スリーブ１６の締結用めねじ部１６ａにねじ結合している。
【００６２】
この実施形態のハンドル６を開弁方向（左回り）に回転させると、弁棒５が一体回転する。上述した第一実施形態の場合と同様、回転が規制された弁体４に対して、弁棒５が左回りに回転すると、弁体４が弁棒５に対して後方に移動する。
【００６３】
続いて、ハンドル６を左回りに回転させて、弁棒５を回転させると、開弁状態となり、図５に示すように、弁体４の嵌合スリーブ１１が支持部材８に基部１４の前端面に突き当たり、弁体４の後方への移動が規制される。
【００６４】
さらに、ハンドル６と左回りに回転させると、弁棒５の締結用おねじ部５ｃと、支持スリーブ１６の締結用めねじ部１６ａとの右ねじのねじ結合により、弁棒５と支持スリーブ１６が締結される。
【００６５】
上記開弁状態において、ハンドル６を閉弁方向（右回り）に回転させると、弁棒５が右回りに一体回転する。弁棒５が同方向に回転することで、回転が規制された弁体４が弁棒５に対して前方に移動し、弁体４が弁座３に接触して閉弁状態となる。
【００６６】
この閉弁状態において、さらに、ハンドル６を右回りに回転させると、弁棒５の締結用おねじ部５ｃと、支持スリーブ１６の締結用めねじ部１６ａとの右ねじのねじ結合により、弁棒５と支持スリーブ１６が締結される。
【００６７】
この実施形態は、弁棒５の移動用おねじ部５ｂと嵌合スリーブ１１の移動用めねじ部１１ｂとは、二条ねじのねじ結合である。このため、第一実施形態の場合と同様に、ハンドル６を軽い力で回転させることができ、ハンドル６の一回転当たりの弁体４の前後方向の移動距離が大きくなることから、弁の開閉操作を容易に行うことができる。
【００６８】
なお、この実施形態においても、操作部材としてハンドル６を採用しているが、上述の第一実施形態の場合と同様に、操作部材を構成するエアモータまたは電動モータにより支持スリーブ１６を回転させるエアー式、電動式を採用することができる。
【００６９】
この発明に係る第三実施形態のバルブ装置を図７、８に基づいて説明する。この実施形態は、嵌合スリーブ１１が支持スリーブ１６の内周部にねじ結合されている点、弁棒５の前端部に弁体４の後端部が固定されている点、弁棒５の外周部に移動用おねじ部５ｂのみが形成される点、及び嵌合スリーブ１１にハンドル６が取り付けられている点で、上述した第二実施形態の構造体と相違する。その他の構造は、第二実施形態と同じと考えられ、同じ符号を付してその説明を省略する。
【００７０】
この実施形態のバルブ装置の弁体４は、挿通穴４ａを有しておらず、その後端部に弁棒５が同軸上に固定されている。弁棒５は、外周部に移動用おねじ部５ｂのみが形成されている。
【００７１】
支持スリーブ１６は、内周部に形成された締結用めねじ部１６ａを有し、支持部材８の基部１４の後端部側の内周部に固定される。嵌合スリーブ１１は、外周部に右ねじの一条ねじとなる締結用おねじ部１１ｃを有し、内周部に左ねじの二条ねじとなる移動用めねじ部１１ｂを有する。
【００７２】
嵌合スリーブ１１は、支持スリーブ１６の締結用めねじ部１６ａにねじ結合し、基部１４の貫通孔１４ａに貫通する弁棒５の移動用おねじ部５ｂにねじ結合する。嵌合スリーブ１１は、後端部にボス部１８を介してハンドル６が固定されている。
【００７３】
この実施形態のハンドル６を開弁方向（左回り）に回転させると、嵌合スリーブ１１が同方向に一体回転する。嵌合スリーブ１１が回転すると、上述した第二実施形態の場合と同様に、回転が規制された弁体４に固定された弁棒５が後方に移動する。
【００７４】
続いて、ハンドル６を左回りに回転させて、嵌合スリーブ１１を回転させると、開弁状態となり、図８に示すように、弁体４が支持部材８に基部１４の前端面に突き当たり、弁体４の後方への移動が規制される。
【００７５】
さらに、ハンドル６と左回りに回転させると、嵌合スリーブ１１の締結用おねじ部１１ｃと支持スリーブ１６の締結用めねじ部１６ａとの右ねじのねじ結合により、嵌合スリーブ１１は後方に移動し、支持スリーブ１６に締結される。
【００７６】
上記開弁状態において、ハンドル６を閉弁方向（右回り）に回転させると、嵌合スリーブ１１が同方向に一体回転し、回転が規制された弁体４に固定された弁棒５が前方に移動する。弁棒５が前方に移動することで、弁体４は前方に移動して、弁座３に接触し閉弁状態となる。
【００７７】
この閉弁状態において、さらに、ハンドル６を右回りに回転させると、支持スリーブ１６の締結用めねじ部１６ａと、嵌合スリーブ１１の締結用おねじ部１１ｃとの右ねじのねじ結合により、弁棒５と嵌合スリーブ１１が締結される。
【００７８】
この実施形態では、弁棒５の移動用おねじ部５ｂと嵌合スリーブ１１の移動用めねじ部１１ｂとは二条ねじによるねじ結合となる。このため、第二実施形態の場合と同様に、ハンドル６を軽い力で回転させることができ、ハンドル６の一回転当たりの弁体４の前後方向の移動距離が大きくなることから、弁の開閉操作を容易に行うことができる。
【００７９】
なお、この実施形態においても、操作部材としてハンドル６を採用しているが、操作部材として、嵌合スリーブ１１のボス部１８に固定したギアと、ギアに噛み合うピニオンと、ピニオンを回転させるエアモータとを備え、その操作部材を構成するエアモータまたは電動モータにより嵌合スリーブ１１を回転させるエアー式、電動式を採用することができる。
【符号の説明】
【００８０】
１  弁本体
１ａ  シート筒
１ｂ  分岐部
１ｃ  フランジ
１ｄ  大径部
２  流路
２ａ  入口側流路
２ｂ  出口側流路
３  弁座
４  弁体
４ａ  挿通穴
４ｂ  シート
５  弁棒
５ａ  ストッパ
５ｂ  移動用おねじ部
５ｃ  締結用おねじ部
６  ハンドル
７  ヨーク
７ａ  フランジ
７ｂ  切り欠き窓
７ｃ  長孔
８  支持部材
９  ガイド筒
９ａ、９ｂ  パッキン
９ｃ  環状体
１０  押さえ輪
１１  嵌合スリーブ
１１ａ  フランジ
１１ｂ  移動用めねじ部
１１ｃ  締結用おねじ部
１２  ロックリング
１３  ボルト
１４  基部
１４ａ  貫通孔
１５  軸受
１６  支持スリーブ
１６ａ  締結用めねじ部
１７  カバー
１８  ボス部
１８ａ  ギア
１８ｂ  ピニオン
１９  ナット
２０  エアモータ
【図１】
2017115970.tif 000003
【図２】
2017115970.tif 000004
【図３】
2017115970.tif 000005
【図４】
2017115970.tif 000006
【図５】
2017115970.tif 000007
【図６】
2017115970.tif 000008
【図７】
2017115970.tif 000009
【図８】
2017115970.tif 000010
【手続補正書】
【提出日】平成28年10月25日(2016.10.25)
【手続補正１】
【補正対象書類名】特許請求の範囲
【補正対象項目名】請求項１
【補正方法】変更
【補正の内容】
【請求項１】
流路を有する弁本体と、その流路に形成された弁座と、回転が規制された状態で前後方向に移動して前記弁座に接離する弁体と、前記弁本体に連結される弁棒と、前記弁棒に取り付けられる操作部材と、前記弁本体に固定されるヨークと、前記弁棒を支持する支持スリーブを有し、前記ヨークに固定される支持部材とを備え、
前記弁体は、後端部から前方に向かって形成された挿通穴と、その挿通穴に嵌め合わされた嵌合スリーブとを有し、前記嵌合スリーブは、内周部に移動用めねじ部を有し、前記支持スリーブは、内周部に締結用めねじ部を有し、前記弁棒は、外周部に形成され、前記弁体の挿通穴に挿通された状態で前記嵌合スリーブにねじ結合する移動用おねじ部と、外周部に形成され、前記支持スリーブにねじ結合する締結用おねじ部とを有し、前記操作部材により回転するものであり、前記移動用めねじ部及び前記移動用おねじ部は、前記締結用めねじ部及び前記締結用おねじ部に対して条数が多く、逆ねじ方向の多条ねじであるバルブ装置。